(57)【要約】【課題】  簡単な構造で縦方向及び横方向に無駄なく連結可能で、複数段収納ユニットを連結しても、側板に設けられた取付孔の間隔のずれが生じない多目的収納ユニットを提供すること【解決手段】  矩形状で所定の厚みを有する板材と、前記板材を連結しうる棒状の枠材２０、２５、３０、３５と、からなる多目的収納ユニット１であって、前記板材を、天板１０、底板１１、縦板１２、１３、あるいは仕切り板１８、１９として使用し、前記板材の外周部に前記枠材を取り付けて縦方向及び横方向に任意の数だけ接続することにより、一個乃至複数の収納空間を形成する多目的収納ユニット。【選択図】      図１
2006020979.tif 000002
【特許請求の範囲】
【請求項１】
矩形状で所定の厚みを有する板材と、前記板材を連結しうる棒状の枠材と、からなる多目的収納ユニットであって、
前記板材を、天板、底板、縦板、あるいは仕切り板として使用し、前記板材の外周部に前記枠材を取り付けて縦方向及び横方向に任意の数だけ接続することにより、一個乃至複数の収納空間を形成することを特徴とする多目的収納ユニット。
【請求項２】
前記板材は、その外周部の何れかに所定の取付機構を有しており、前記取付機構に取付可能な枠材を前記板材の取付機構と連結することにより複数の板材の取り付けが可能となっていることを特徴とする請求項１に記載の多目的収納ユニット。
【請求項３】
前記取付機構は、外周部の何れかの一辺に延設された臍であり、前記枠材には、前記臍状の取付機構に嵌合する臍溝が形成されており、前記臍と前記臍溝を嵌合することにより前記板材と前記枠材との結合がなされることを特徴とする請求項２に記載の多目的収納ユニット。
【請求項４】
前記枠材は、前記板材の一辺とほぼ等しい長さを有する四角柱状の枠材からなり、前記枠材の長手方向の側面の少なくとも２面には、前記臍溝が形成されていることを特徴とする請求項３に記載の多目的収納ユニット。
【請求項５】
前記臍は蟻状の臍であり、前記臍溝は蟻状の臍溝であることを特徴とする請求項３に記載の多目的収納ユニット。
【請求項６】
前記天板、底板、縦板、あるいは仕切り板として使用される板材の外周部の何れかの一辺の近傍には、背板を取り付けるための溝が設けられており、矩形状で所定の厚みを有し、外周部に前記溝と嵌合する突起を有する背板が取り付けられるようになされていることを特徴とする請求項１に記載の多目的収納ユニット。
【請求項７】
前記枠材の外周部の何れかの一辺の近傍には、背板を取り付けるための溝が適宜設けられており、外周部に前記溝と嵌合する突起を有する背板が取り付けられるようになされていることを特徴とする請求項１に記載の多目的収納ユニット。
【請求項８】
前記板材において、縦材、あるいは左右の仕切り板として利用されるものには、一定間隔毎に付属品を取り付けるための取付金具用の取付穴が縦方向に一列乃至複数列穿設されており、前記取付穴は、前記枠材により縦方向に板材が連結された場合の板材接合部分においても穿設間隔が等しくなることを特徴とする請求項１に記載の多目的収納ユニット。
【請求項９】
前記板材を縦方向に連結する枠材の長手方向の面には、前記連結した板材に設けられた取付穴の延長線上に、前記板材に設けられたものと同様の取付穴が穿設されていることを特徴とする請求項８に記載の多目的収納ユニット。
【請求項１０】
前記取付穴は、取付穴に関する所定の規格に準じた位置に穿設されていることを特徴とする請求項８に記載の多目的収納ユニット。
【発明の詳細な説明】
【技術分野】
【０００１】
本発明は組み立て式の多目的収納ユニットに係り、特に、縦方向、及び横方向に任意の数だけ連結使用することが可能で、かつ、様々な付属品の取付が容易に行える多目的収納ユニットに関する。
【背景技術】
【０００２】
各世帯に備えられる収納家具は現在広く市場に出回っており、そのニーズも高い。特に、収納容量を容易に増加でき、持ち運びも便利な組み立て式の収納ユニットは少ないスペースに多くのものを収納でき、使い勝手がよく、様々な形態のものが知られている（例えば、特許文献１参照）。
【０００３】
図１１は、下記特許文献１に記載の組立式の収納家具を示す側断面図である。
下記特許文献１（特開２００４−９７４０４号公報）に記載の組立式の収納家具は、組立式収納家具である戸棚１０１と、前記戸棚１０１の構成体となる、天板１０２と、底板１０３と、戸棚１０１の周壁を形成する縦板１０４（側板Ｋ、背板Ｌ）と、扉５とを備えており、側板Ｋには孔Ｋ１、Ｋ２が設けられており、その孔に支持具（図示省略）、あるいはヒンジ１１２を取り付けることにより棚板１１０や、扉１０５が取り付けられている。
【０００４】
そして、前記縦板１０４は、一の戸棚１０１の縦板１０４と、他の戸棚１０１の縦板１０４とが、縦に積まれるようにして連結可能に、かつ取外し可能に、形成されている。そして、一の戸棚１０１の縦板１０４と、他の戸棚１０１の縦板１０４とを連結するために、前述の第１接続具１０６及び第２接続具１０７が用いられる。この戸棚１０１によると、例えば二つの戸棚１０１、１０１を縦に積み重ねる際に、下側の戸棚１０１の天板１０２を外し、そして、上側の戸棚１０１の底板１０３を外して、それら戸棚１０１、１０１の縦板１０４、１０４を（詳細には、側板Ｋ、Ｋ及び背板Ｌ、Ｌをそれぞれ）、縦に積むようにして連結することができる（図１１参照）。こうして積み重ねられた戸棚１０１、１０１は、それらの間に、天板１０２や底板１０３がなく、それぞれの戸棚１０１、１０１の収納スペースが一体化されて、一つの戸棚として機能する。そして、このように、一つの戸棚として機能するので、それら戸棚１０１、１０１の収納スペースを有効に利用することができる。
【０００５】
【特許文献１】特開２００４−９７４０４号公報（図５、段落［００１５］、［００２１］〜［００２４］）
【発明の開示】
【発明が解決しようとする課題】
【０００６】
しかしながら、上記特許文献１に記載の組立式の収納家具においては、縦方向への積み重ねに関しては無駄なスペースを省いて連結することが可能であるが、横方向に連結することは考えられておらず、横方向に連結しようとすると、横方向の仕切りとして側板が２枚合わさって使用されることからスペースの無駄が発生する恐れがある。
【０００７】
また、例えば縦方向に連結した複数の戸棚にまたがって扉を取り付けたい場合には、孔の位置が定まらなくなることから、特別にヒンジの取り付け位置を定めた扉を用意する必要があり、扉の取り付けが高価になってしまう恐れがあった。
【０００８】
本発明者らは、上記問題点に鑑み、縦方向のみならず、横方向にも無駄なく連結することの可能な多目的収納ユニット（以下、単に収納ユニットとする）を種々検討した結果、矩形状の板材と、前記板材を連結するための枠材によって収納空間を形成することより横方向にも連結可能な収納ユニットを提供できることを見出し、本発明に至ったものである。
【０００９】
すなわち、本発明の第１の目的は、簡単な構造で縦方向及び横方向に無駄なく連結可能な多目的収納ユニットを提供することにある。
【００１０】
更に、本発明の第２の目的は、複数段収納ユニットを連結しても、側板に設けられた取付孔の間隔のずれが生じない多目的収納ユニットを提供することにある。
【課題を解決するための手段】
【００１１】
上記目的を達成するために、本発明の請求項１に記載の多目的収納ユニットの発明は、矩形状で所定の厚みを有する板材と、前記板材を連結しうる棒状の枠材と、からなる多目的収納ユニットであって、
前記板材を、天板、底板、縦板、あるいは仕切り板として使用し、前記板材の外周部に前記枠材を取り付けて縦方向及び横方向に任意の数だけ接続することにより、一個乃至複数の収納空間を形成することを特徴とする。
【００１２】
また、請求項２に記載の発明は、請求項１に記載の多目的収納ユニットに係り、前記板材は、その外周部の何れかに所定の取付機構を有しており、前記取付機構に取付可能な枠材を前記板材の取付機構と連結することにより複数の板材の取り付けが可能となっていることを特徴とする。
【００１３】
また、請求項３に記載の発明は、請求項２に記載の多目的収納ユニットに係り、前記取付機構は、外周部の何れかの一辺に延設された臍であり、前記枠材には、前記臍状の取付機構に嵌合する臍溝が形成されており、前記臍と前記臍溝を結合することにより前記板材と前記枠材との結合がなされることを特徴とする。
【００１４】
また、請求項４に記載の発明は、請求項３に記載の多目的収納ユニットに係り、前記枠材は、前記板材の一辺とほぼ等しい長さを有する四角柱状の枠材からなり、前記枠材の長手方向の側面の少なくとも２面には、前記臍溝が形成されていることを特徴とする。
【００１５】
また、請求項５に記載の発明は、請求項３に記載の多目的収納ユニットに係り、前記臍は蟻状の臍であり、前記臍溝は蟻状の臍溝であることを特徴とする。
【００１６】
また、請求項６に記載の発明は、請求項１に記載の多目的収納ユニットに係り、前記天板、底板、縦板、あるいは仕切り板として使用される板材の外周部の何れかの一辺の近傍には、背板を取り付けるための溝が設けられており、矩形状で所定の厚みを有し、外周部に前記溝と嵌合する突起を有する背板が取り付けられることを特徴とする。
【００１７】
また、請求項７に記載の発明は、請求項１に記載の多目的収納ユニットに係り、前記枠材の外周部の何れかの一辺の近傍には、背板を取り付けるための溝が適宜設けられており、外周部に前記溝と嵌合する突起を有する背板が取り付けられることを特徴とする
【００１８】
また、請求項８に記載の発明は、請求項１に記載の多目的収納ユニットに係り、前記板材において、縦材、あるいは左右の仕切り板として利用されるものには、一定間隔毎に付属品を取り付けるための取付金具用の取付穴が縦方向に一列乃至複数列穿設されており、前記取付穴は、前記枠材により縦方向に板材が連結された場合の板材接合部分においても穿設間隔が等しくなることを特徴とする。
【００１９】
また、請求項９に記載の発明は、請求項８に記載の多目的収納ユニットに係り、前記板材を縦方向に連結する枠材の長手方向の面には、前記連結した板材に設けられた取付穴の延長線上に、前記板材に設けられたものと同様の取付穴が穿設されていることを特徴とする。
【００２０】
また、請求項１０に記載の発明は、請求項８に記載の多目的収納ユニットに係り、前記取付穴は、取付穴に関する所定の規格に準じた位置に穿設されていることを特徴とする。
【発明の効果】
【００２１】
請求項１によれば、複数の板材を複数の枠材で接続し、例えば天板と、底板と、２枚の縦板とによって形成される立方体状の収納空間を一個又は複数設ければ、収納ユニット自体の収納容量を自由に増減可能で、かつ収納空間を縦方向のみならず横方向にも連結させて設けることができるため、設置スペースに合わせて自由に組み立てることにより設置スペースを選ばない収納ユニットを組み立てることができる。
また、縦方向に板材を連結し、二段の収納空間を有する収納ユニットを組み立てる場合には、一段目の天板と、二段目の底板を１枚の板材（仕切り板）で兼用できるようになり、同様に横方向に２つの収納空間を有する収納ユニットを組み立てた場合においても、右側の収納空間の左縦板と、左側の収納空間の右縦板とを１枚の板材（仕切り板）で兼用できるようになることから、少ない板材で多くの収納空間を作ることができるようになると共に、設置を行う際には限られたスペースの有効利用を行うことができる。
【００２２】
請求項２によれば、板材と枠材を連結する際に、ねじ穴や、接着剤等の接続手段を用いることなく、板材及び枠材の取付機構を連結することにより収納ユニットの組み立てが可能となるため、収納ユニットの追加や、取り外しを容易に行うことが可能となる。
【００２３】
請求項３によれば、板材と枠材とに、取付機構として臍及び臍溝を形成するという簡単な構成で板材と枠材とを連結できるため、より安価に収納ユニットを提供することができる。
【００２４】
請求項４によれば、枠材の少なくとも２面に臍溝が形成されることにより、この臍溝に板材の外周部に設けられた臍を接続することで、複数の板材を連結可能となり、更に枠材の３面あるいは４面に臍溝を形成したものを用いれば、複数の収納空間を有する比較的大型の収納ユニットを形成する場合にも、無駄な板材を用いることなく最少の板材の使用で収納ユニットを形成できる。
【００２５】
請求項５によれば、臍及び臍溝を蟻状とすることにより、臍と臍溝とを接合した際に、縦方向の力に対しても連結が外れる心配のない堅固な接合を行うことができる。
【００２６】
請求項６によれば、天板、底板、縦板、あるいは仕切り板の背面に位置する外周部の近隣に溝を設けることにより、背板の取り付けが行えるようになるため、例えば美観の面及び補強の面で背板を取り付けたい場合があれば簡単に背板の取り付けを行うことができる。
【００２７】
請求項７によれば、板材を同方向に複数枚連結することにより、比較的大きな収納空間を形成し、更に、その収納空間の背面部分に前記収納空間に合う大きさの背板を取り付けたい場合に、枠材が邪魔になることなく背板の取り付けができるようになる。
【００２８】
請求項８によれば、収納空間を縦方向に複数段有する収納ユニットを組み立てた場合においても、縦材に設けられた付属品を取り付けるための取付金具用の取付穴が、例えばシステム３２（ヨーロッパ規格）のような取付穴の設置位置の規格に準じた間隔で整列しているため、例えば扉の取り付けを収納空間の複数段にまたがって行いたい場合においても、前記規格に準じた位置に取付金具が設置されている扉であれば取り付けることができるため、特別に取付金具の取付位置を変更することなく、既製品等の取り付けが可能となるため、扉のような付属品の取り付けの制限を少なくでき、好みの付属品の取り付けを自由に行うことができるようになる。
【００２９】
請求項９によれば、枠材上にこの収納ユニットで採用した取付穴の規格に準じる穴が形成されることになっている場合にも、枠材自身に前記取付穴を設けることにより、取付穴の抜けを防止し、より付属品の取り付けの制限を少なくすることができるようになる。
【００３０】
請求項１０によれば、縦板に穿設される取付穴の位置を、例えばヨーロッパの規格であるシステム３２に則した位置とすることにより、同規格を採用した例えば扉等の付属品を特別な加工をすることなくそのまま取り付けることができるようになり、容易に付属品の取り付けが可能な収納ユニットを提供することができるようになる。
【発明を実施するための最良の形態】
【００３１】
以下、図面を参照して本発明の最良の実施形態を説明する。但し、以下に示す実施形態は、本発明の技術思想を具体化するための多目的収納ユニットを例示するものであって、本発明をこれらに特定することを意図するものではなく、特許請求の範囲に含まれるその他の実施形態のものも等しく適応し得るものである。
【実施例１】
【００３２】
図１は、本発明の一実施例に係る収納ユニットを示す外観斜視図、図２は、図１の収納ユニットを各構成部品に分解して示す分解斜視図、図３は、収納ユニットの左縦板を示す図であり、図３（ａ）は右側面図、図３（ｂ）は底面図、図３（ｃ）は正面図、図４は収納ユニットに用いられる枠材の形状を示す斜視図であり、図４（ａ）及び図４（ｂ）は臍溝が２方向に設けられた枠材を示す図、図４（ｃ）は臍溝が３方向に設けられた枠材を示す図、図４（ｄ）は臍溝が４方向に設けられた枠材を示す図、図５は、構成部品を組み合わせることにより複数の収納空間を設けた収納ユニットを示す外観斜視図、図６は、図５の収納ユニットの前面に扉を設けた場合の外観斜視図、図７は、図６のＡ−Ａ線から見た断面図、図８は、各構成部品を組み合わせることにより更に多くの収納空間を設けた収納ユニットを示す外観斜視図、図９は、図８のＢ−Ｂ線から見た断面図、図１０は、枠材の他の構成例を示すものであり、図１０（ａ）は図４（ｂ）の枠材に溝が１つ形成された枠材を示す斜視図、図１０（ｂ）は図４（ｂ）の枠材に溝が２つ形成された枠材を示す斜視図、図１０（ｃ）は図４（ｃ）の枠材に溝が１つ形成された枠材を示す斜視図である。
【００３３】
本発明の収納ユニット１は、複数枚の板材と、それらの板材を接続する枠材とから構成されており、いくつかの構成部品からなる収納ユニットの一例を図１及び図２に示す。この収納ユニット１は、天板１０、底板１１、及び図中左方向側面に備えられる左縦板１２と、図中右方向側面に備えられる右縦板１３とを構成する４枚の板材と、それらの外周端部同士を接続するための４本の枠材２１〜２４と、これら４枚の板材１０〜１３と同じく４本の枠材２１〜２４とにより組み立てられる矩形状の管体の背面に必要に応じて取り付けられる背板１４とから構成されている。そして、上記構成部品によりなる箱状の収納ユニット１は、箱体内部が収納空間５となっており、これにより収納家具としての使用が可能となる。
【００３４】
この収納ユニット１に用いられる各構成部品について以下に詳細に説明する。
先ず、板材の基本的な構成について、左縦板１２を用いて図３を参照して説明する。ちなみに、この収納ユニット１で使用されている天板１０、底板１１、左縦板１２、及び右縦板１３はほぼ同一の形状及び構造を有している。ただし、縦板として使用される板材１２、１３は、種々の付属品を取り付ける為の取付穴Ｈが設けられている箇所にのみ、天板１０あるいは底板１１と異なる。
【００３５】
左縦板１２は、図３（ａ）に示すように、矩形状で所定の厚みを有する板体であり、左縦板１２の平面部１２Ｔ及び底面部１２Ｂにはそれぞれ枠材２１〜２４との取付機構である臍１６Ａ、１６Ｂが形成されている。ちなみに、左縦板１２の正面部１２Ｆ、及び背面部１２Ｒには臍等の取付機構は形成されていない。また、この縦板の右側面上の背面部１２Ｒ付近には、図３（ｂ）に示すように背板１４を取り付けるための矩形状の結合溝１７（左縦板に設けられた結合溝は１７Ｃとする。）が底面部１２Ｂから平面部１２Ｔにかけて延設されており、この左縦板の結合溝１７Ｃには背板１４に設けられた結合突起１４Ｃ（図２参照）が結合される。
【００３６】
更に、前記臍１６Ａ、１６Ｂは図３（ｃ）に示すように、蟻状の臍であり、このように形成することにより、枠材２１〜２４を連結した際に、臍に対して垂直な方向に外力が生じても前記連結が外れる心配がない。このような臍１６Ａ、１６Ｂ及び結合溝１７は左縦板１２のみならず、天板１０、底板１１、及び右縦板１３にも同様のものが設けられている。なお、結合溝１７については、それぞれの板材に、図２に示すように、それぞれ符号１７Ａ〜１７Ｄを付して区別することとする。
【００３７】
また、前記結合溝１７Ａ〜１７Ｄに取り付けられる背板１４は、板材１０〜１３の縦方向及び横方向と同じ長さを有する矩形状の板体からなり、その肉厚は前記板材１０〜１３と同様である。この背板１４は、外周部に板材１０〜１３に設けられた結合溝１７Ａ〜１７Ｄと結合するための結合突起１４Ａ〜１４Ｄが延設されており、組み立て時にこの結合突起１４Ａ〜１４Ｄを結合溝１７Ａ〜１７Ｄに嵌め込むことにより固定される。
【００３８】
次に、図４を参照して本実施例に用いる枠材を説明する。
枠材２０は、図４（ａ）に示すように前記板材の奥行き方向の長さと等しい奥行き方向の長さを有し、正面部２０Ａがほぼ正方形状に成形された直方体であり、その、上部、底部、あるいは左右側面部に前記板材に設けられた蟻状の臍を挿入するための臍溝（２０ａ、２０ｂ）が設けられている。そして、図４（ａ）に示す枠材２０は、上面、底面、及び左右側面のうち、隣接する２面に臍溝２０ａ、２０ｂが設けられた枠材であり、図１の収納ユニット１は、この枠材２０のみで組み立てられている。また、図４（ｂ）に示す枠材２５は、対向する２面に臍溝２５ａ、２５ｂが設けられており、図４（ｃ）に示す枠材３０は３面に臍溝３０ａ、３０ｂ、３０ｃが設けられており、図４（ｄ）に示す枠材３５は４面すべてに臍溝３５ａ、３５ｂ、３５ｃ、３５ｄが設けられたものを示している。
【００３９】
前述した板材及び枠材により組み立てられる収納ユニット１の組み立て工程を、図２を参照して以下に説明する。
先ず、底板１１の側面に設けられた臍１６Ａ、１６Ｂに図４（ａ）に記載の枠材２０と同様の形状からなる枠材２２、２４をスライド結合させる。そして、前記枠材２２、２４のもう一方の臍溝に、左右の縦板１２、１３の臍１６Ｂ、１６Ｂを同様にスライド結合させる。次に、前述の各工程により組み立てられた底板１１、及び左右の縦板１２、１３の背面に近接する位置に設けられた結合溝１７Ｂ〜１７Ｄ（１７Ｄは図示省略）に結合突起１４Ｂ〜１４Ｄを嵌め込むように背板１４を取り付ける。そして、天板１０の結合溝１７Ａを結合突起１４Ａに嵌め込んだ状態で保持し、天板１０の臍１６Ｂと左縦板１２の臍１６Ａに枠材２１をスライド結合し、同様に天板１０の臍１６Ａと、右縦板１３の臍１６Ａに枠材２３をスライド結合することにより、図１に示すような収納ユニット１が形成される。
【００４０】
次に、図３を参照して、左右の縦板（左右の仕切り板も含む）に設けられる取付穴の穿設位置について説明する。ちなみにここでは、穿設位置としてヨーロッパ規格である「システム３２」を採用した場合の取付穴について説明するが、他の取付穴に関する規格を採用した場合においても適応可能であることは当業者にとり自明である。また、以下には左縦板１２に設けられた取付穴を参照して説明するが、右縦板１３、及び左右の仕切り板１８にも同様の取付穴が穿設されている。
【００４１】
図３の左縦板１２に設けられた取付穴は、正面部１２Ｆ、及び背面部１２Ｒに隣接した位置に前記正面部１２Ｆ、及び背面部１２Ｒに平行な方向へ２列穿設されており、各取付穴Ｈの穿設間隔は等間隔である。
【００４２】
ここで、「システム３２」を採用した際の取付穴の位置を説明するため、正面部１２Ｆから取付穴Ｈまでの長さをＬ１、各取付穴Ｈの穿設間隔をＬ２、各板材の肉厚をＬ３、２列に穿設された取付穴Ｈ間の長さをＬ４、最上部（最下部）に穿設された取付穴Ｈから平面部１２Ｔ（底面部１２Ｂ）までの長さをＬ５、とすると、前記各長さは、Ｌ１＝３７ｍｍ、Ｌ２＝３２ｍｍ、Ｌ３＝１９ｍｍ、Ｌ４＝３２×ｎ（ｎ＝定数）ｍｍ、Ｌ５＝２２．５ｍｍとなる。ちなみにここで穿設される取付穴の穴径は５ｍｍである。
【００４３】
前記収納ユニット１は、収納空間５が１つのみの収納ユニットであったが、収納空間５は、板材及び枠材の組み合わせによって実質的にいくつでも作る事が可能である。
以下には、前記収納ユニット１の構成部品の組み合わせ及び個数を変更し、収納空間を４つ有する収納ユニット１Ａを説明する。
【００４４】
収納ユニット１Ａは、図５に示すように天板１０、底板１１、左縦板１２、右縦板１３、及び左右の仕切り板１８、上下の仕切り板１９をそれぞれ２枚ずつ使用し、これらの板材を枠材により連結させて組み立てたものである。なお、収納ユニット１Ａの背面には、背板１４が４枚嵌め込まれている。この収納ユニット１Ａの組み立て方法に関しては、前記収納ユニット１の組み立て方法から容易に想像できるためその説明を省略する。ちなみに、前記上下の仕切り板１９は、天板１０、底板１１等と同様の形状を有し、加えて板材の背面部近傍の両側面に背板１４を取り付けるための結合溝が延設されている。また、前記左右の仕切り板１８は、前記上下の仕切り板１９と同様の形状を有し、加えて、この仕切り板の両側面に、左右の縦板１２、１３に設けられたものと同様の取付穴Ｈが穿設されている。
【００４５】
この収納ユニット１Ａは、その組み立てを実現するために２面に、臍溝２０ａ、２０ｂが設けられた枠材２０と、３面に臍溝３０ａ〜３０ｃが設けられた枠材３０とをそれぞれ４本と、４方向に臍溝３５ａ〜３５ｄが設けられた枠材３５を１本使用しており、前記枠材を使用することにより、各板材の連結を良好に行うことができるようになる。
すなわち、従来は、複数の収納空間を縦方向あるいは横方向に連結して使用する場合、箱状の収納ボックスを縦あるいは横方向に積み重ねることにより連結するため、収納空間同士の間に板材が２枚隣接配置されることになり、その分収納スペースの無駄が生じていたが、本実施例のように臍溝を有する枠材を使用することにより、例えば図５中左下の収納空間を形成する天板は、同じく図５中左上の収納空間を形成する底板として兼用されることとなり、言い換えると、縦方向、あるいは上下の仕切り板１８、１９を１枚のみ使用するだけで収納空間を区切ることができることから、収納スペースの無駄が生じることなく有効に収納空間の連結を行うことができるようになる。
【００４６】
ここで、上述のような収納ユニット１Ａに付属品として扉を取り付けたものを図６に示す。
図６の収納ユニットには、図５に記載の収納ユニット１Ａの正面部に、収納ユニットの中央部に取手４１Ａ、４１Ｂが位置するように左右の縦板１２、１３に取り付けられた扉４０Ａ、４０Ｂが取り付けられており、観音開きの扉が正面部に設けられた収納ユニット１Ａ'が形成されている。
【００４７】
収納ユニット１Ａ'の扉４０Ａ、４０Ｂの取付方法を、図７を参照して説明する。ただし、図７は図６のＡ−Ａ線から見た断面図であり、以下には左側の扉４０Ａの取付方法について説明するが、右側の扉４０Ｂも左側の扉４０Ａと同様の形状を有していることから、同様の取付方法で取り付けられることは言うまでもない。
扉４０Ａの取り付けに際してはヒンジ４２が用いられている。このヒンジ４２は、扉４０Ａの予め設定された高さに配置された取付位置に従って、取付穴Ｈに取り付けられるものであって、図７では収納ユニットの正面部に隣接する、最上（最下）の取付穴から１つ下（１つ上）、及び２つ下（２つ上）の取付穴Ｈを利用して、上下２箇所に取り付けられている。なお、ヒンジ４２は周知のものを利用しているため、その説明は省略する。
【００４８】
このようにヒンジ４２を取り付ける場合、本発明によれば特別にヒンジの取付位置を変更したりすることなく取り付けが行えるように、取付穴Ｈの穿設間隔を複数の縦板が連結された場合であっても一定に保たれている。
【００４９】
図７中のＬ６は、縦方向に２段の収納空間を有する収納ユニット１Ａ'の上部収納空間を形成する左縦板１２に穿設された最下部の取付穴Ｈ（以下、説明のためＨ１とする）と、下部収納空間を形成する左縦板１２に穿設された最上部の取付穴Ｈ（以下、説明のためＨ２とする）との間隔を示している。
このＬ６の長さは、図３を参照すると、Ｌ６＝２×Ｌ５＋Ｌ３である。ここで、「システム３２」を採用した場合のＬ１〜Ｌ５の各長さを計算すると、
Ｌ６＝２×Ｌ５＋Ｌ３＝２×２２．５ｍｍ＋１９ｍｍ＝６４ｍｍ＝２×Ｌ２
となる。すなわち、図７中の取付穴Ｈ１、Ｈ２は、取付穴Ｈ同士の穿設間隔Ｌ２の２倍の位置に設けられていることとなり、前記「システム３２」の規格に準じた位置に穿設されていることとなる。
【００５０】
このように、異なる縦板１２同士を連結させた場合にも、取付穴Ｈの穿設間隔は一定に保たれ、ずれを生じないことから、採用している取付穴に関する規格（本実施例では「システム３２」）が同様の付属品であれば、既に市場に出回っている汎用品でも容易に取り付けることができるため、付属品のバリエーションが豊富な収納ユニットができる。
【００５１】
上記収納ユニット１Ａよりも更に多くの構成部品を用い、比較的大型に組み立てた場合の一例として、収納ユニット１Ｂを図８〜図１０を用いて以下に説明する。
図８に示す収納ユニット１Ｂは、前記収納ユニット１、１Ａに用いられた板材、及び枠材に加えて、前記天板１０、あるいは底板１１等に比べて横方向にほぼ倍の長さを有する細長な板材５０と、対向する２面に臍溝２５ａ、２５ｂを有する枠材２５に更に取付穴（２５Ｈ）と背板用の溝（２６）が１つ設けられた枠材２５'（図１０参照）、３面に臍溝３０ａ、３０ｂ、３０ｃを有する枠材３０に、更に取付穴（３０Ｈ）と背板用の溝（３１）が１つ設けられた枠材３０'、及び縦方向にほぼ倍の長さを有する細長な背板（図９参照）５１を備えている。
【００５２】
この収納ユニット１Ｂでは、前記細長な板材５０を用いることにより、図１に示す収納空間５に比べて横方向に広い収納空間５Ａが形成され、また、枠材２５を用いて板材を連結することにより、縦方向に広い収納空間５Ｂが形成されている。このように細長な板材５０や、枠材２５'、枠材３０'、あるいは細長な背板５１を用いれば、大きさの異なる収納空間を有する収納ユニットを組み立てることも可能である。ちなみに、前記細長な板材５１、及び枠材２５'の取付方向は縦方向及び横方向どちらでも構わない。
【００５３】
枠材２５あるいは前記枠材２５'のように、縦方向に板材を連結する枠材について以下に図９を参照して説明する。ただしここでは図８の収納ユニットに使用されている枠材２５'について説明する。
図９は、図８のＢ−Ｂ線から見た断面図である。この収納空間５Ｂは、細長な背板５１、天板１０、上下の仕切り板１９、２枚の右縦板１３、１３、左縦板１２（図示省略）、及び左右の仕切り板１８（図示省略）で囲まれており、２枚の右縦板１３、１３は対向する２面に臍溝２５ａ、２５ｂを備える枠材２５'で連結されている。そして、この枠材２５'には、２枚の右縦板１３、１３に穿設された２列の取付穴Ｈの延長線上に取付穴２５Ｈ、２５Ｈが設けられている。
【００５４】
この取付穴２５Ｈは、枠材２５'の中心線上に位置し、また、上部の右縦板１３に穿設された最下部の取付穴Ｈ１と、下部の右縦板１３に穿設された最上部の取付穴Ｈ２との間に位置している。これにより、各縦板の取付穴Ｈ１、Ｈ２の間隔がＬ６であることから、その中心部に穿設された取付穴２５Ｈは、前記取付穴Ｈ１、Ｈ２からＬ２ずつ離れた位置に穿設されることになる。
【００５５】
上記のように枠材２５'上にも取付穴２５Ｈを穿設することにより、収納空間５Ｂの側面に設けられた取付穴が隙間なく設けられるため、付属品の取り付けが良好に行えるようになる。また、他の枠材においても、縦方向に板材を連結する際には、同様の取付穴を穿設することが可能であることは明らかである。
【００５６】
ところで、前記図９で用いられている枠材２５'には細長な背板５１が取り付けられているため、他の板材と同様に細長な背板５１の外周部に設けられた結合突起（図示省略）と結合するための結合溝が設けられている必要がある。以下には、結合溝が設けられた枠材の一例を図１０を参照して説明する。
【００５７】
図１０は枠材の他の構成例を示すものであり、図１０（ａ）に示す枠材２５'は図４（ｂ）の枠材２５に背板の結合突起（１４Ａ〜１４Ｃ）と結合する結合溝２６が１つ形成されたものである。したがって基本的な大きさあるいは形状等は図４（ｂ）に示す枠材２５と同様のものであり、板材と連結した際に板材に設けられた結合溝１７の延長線上に位置するように板材の結合溝１７と同様の深さ及び幅を有する結合溝２６が設けられている部分が前記枠材２５と異なる。同様に、図１０（ｂ）に記載の枠材２５"は枠材２５に前記結合溝２６が対向する位置に２つ形成されたものであり、図１０（ｃ）に記載の枠材３０'は枠材３０に前記結合溝２６と同様の構成からなる結合溝３１が１つ形成されたものである。また、前記枠材２５'、２５"、３０'の各結合溝２６は、臍溝２５ａ〜２５ｂ、３０ａ〜３０ｃが設けられていない外周面に設けられている。また、前記臍溝２５ａ〜２５ｂ、３０ａ〜３０ｃが設けられていない外周面には必要に応じて取付穴２５Ｈ、３０Ｈが穿設されている。
【００５８】
上述のような枠材２５'、２５"、３０'を用いることにより、板材を同方向に複数枚連結して比較的大きな収納空間（５Ａ、５Ｂ）を形成した場合にも背板を取り付けることができるようになるため、背板を取り付けない場合に比べて横方向あるいは縦方向に収納ユニット自体が不安定になることなく、すなわち背板が収納ユニットを支える補強材の役目を果たすことにより、より頑丈な収納ユニットを形成することができる。
【００５９】
また、上述の実施例において、取付穴に関する規格を「システム３２」としたが、他の規格でもよく、採用した規格の内容に準じて、板材の板厚等を変更することにより、同様の効果を奏することができるようになる。
【図面の簡単な説明】
【００６０】
【図１】図１は、本発明の一実施例に係る収納ユニットを示す外観斜視図、
【図２】図２は、図１の収納ユニットを各構成部品に分解して示す分解斜視図、
【図３】図３は、収納ユニットの左縦板を示す図であり、図３（ａ）は右側面図、図３（ｂ）は底面図、図３（ｃ）は正面図、
【図４】図４は収納ユニットに用いられる枠材の形状を示す斜視図であり、図４（ａ）及び図４（ｂ）は臍溝が２方向に設けられた枠材を示す図、図４（ｃ）は臍溝が３方向に設けられた枠材を示す図、図４（ｄ）は臍溝が４方向に設けられた枠材を示す図、
【図５】図５は、構成部品を組み合わせることにより複数の収納空間を設けた収納ユニットを示す外観斜視図、
【図６】図６は、図５の収納ユニットの前面に扉を設けた場合の外観斜視図、
【図７】図７は、図６のＡ−Ａ線から見た断面図、
【図８】図８は、構成部品を組み合わせることにより更に多くの収納空間を設けた収納ユニットを示す外観斜視図、
【図９】図９は、図８のＢ−Ｂ線から見た断面図、
【図１０】図１０は、枠材の他の構成例を示すものであり、図１０（ａ）は図４（ｂ）の枠材に溝が１つ形成された枠材を示す斜視図、図１０（ｂ）は図４（ｂ）の枠材に溝が２つ形成された枠材を示す斜視図、図１０（ｃ）は図４（ｃ）の枠材に溝が１つ形成された枠材を示す斜視図、
【図１１】図１１は、特許文献１に記載の組立式の収納家具を示す側断面図。
【符号の説明】
【００６１】
１、１Ａ、１Ｂ  収納ユニット
５              収納空間
１０            天板
１１            底板
１２            左側板
１３            右側板
１４            背板
１６Ａ、１６Ｂ  （蟻状）臍
１７            結合溝
１８            左右の仕切り板
１９            上下の仕切り板
２０、２５、３０、３５、２１〜２４
枠材
２０ａ〜２０ｂ、２５ａ〜２５ｂ、３０ａ〜３０ｃ、３５ａ〜３５ｄ
（蟻状）臍溝
２６、３１      （枠材の）結合溝
４０Ａ、４０Ｂ  扉
４１Ａ、４１Ｂ  取手
４２            ヒンジ
５０            細長な板材
５１            細長な背板
Ｈ              取付穴
【図１】
2006020979.tif 000003
【図２】
2006020979.tif 000004
【図３】
2006020979.tif 000005
【図４】
2006020979.tif 000006
【図５】
2006020979.tif 000007
【図６】
2006020979.tif 000008
【図７】
2006020979.tif 000009
【図８】
2006020979.tif 000010
【図９】
2006020979.tif 000011
【図１０】
2006020979.tif 000012
【図１１】
2006020979.tif 000013